(57)【要約】  電圧調整するための回路（１０、１００）を使用する。ある実施形態では、第１のノード（３０）から第２のノード（２８）への電圧降下を調整する回路（１０）を構成するために、電圧調整器（１１）が出力トランジスタ（２４）を併用して用いられる。この第２のノード（２８）は回路（２７）に電力を供給するために使用される場合がある。電圧及び温度それぞれの範囲に亘り回路（１０）が望みどおりに動くように負の温度係数と正の温度係数のバランスをとるために、回路（１０）内の幾つかのトランジスタ（２０〜２５）の面積を調整する場合がある。ここで留意すべきは、ある実施形態では、回路（１０）が２端子のデバイスだということである。
2007537539.tif 000002
【特許請求の範囲】
【請求項１】
第１の出力端子を有する回路であって、
出力と、電源端子に結合した入力と、を有する第１の電流源と、
出力と、前記電源端子に結合した入力と、を有する第２の電流源と、
第１の電流電極と、同第１の電流源の出力に結合した制御電極と、前記第１の出力端子に結合した第２の電流電極と、を有する第１のトランジスタと、
前記第２の電流源の出力に結合した第１の電流電極と、前記第１のトランジスタの制御電極に結合した制御電極と、第２の電流電極と、を有する第２のトランジスタと、
前記第２のトランジスタの第２の電流電極に結合した第１の端子と、前記第１の出力端子に結合した第２の端子と、を有するインピーダンスと、
前記電源端子に結合した第１の電流電極と、前記第２のトランジスタの第１の電流電極に結合した制御電極と、前記第１の出力端子に結合した第２の電流電極と、を有する第３のトランジスタと、
を備えた回路。
【請求項２】
前記第１のトランジスタと、前記第２のトランジスタと、前記第３のトランジスタとが、それぞれ、ＭＯＳトランジスタである請求項１に記載の回路。
【請求項３】
前記第１のトランジスタと、前記第２のトランジスタと、前記第３のトランジスタとが、それぞれ、Ｎチャネルトランジスタである請求項２に記載の回路。
【請求項４】
前記第１のトランジスタと、前記第２のトランジスタと、前記第３のトランジスタとが、それぞれ、バイポーラトランジスタである請求項１に記載の回路。
【請求項５】
前記バイポーラトランジスタがＮＰＮトランジスタである、請求項４に記載の回路。
【請求項６】
前記第１の電流源と前記第２の電流源とがＭＯＳトランジスタである請求項１に記載の回路。
【請求項７】
請求項１に記載の回路であって、
前記第１の電流源が第１の電流源トランジスタを備えており、前記第１の電流源トランジスタが、前記電源端子に結合した第１の電流電極と、前記第１のトランジスタの第１の電流源に結合した第２の電流源と、前記第１の出力端子に結合した制御電極と、を有しており、
前記第２の電流源が第２の電流源トランジスタを備えており、前記第２の電流源トランジスタが、前記電源端子に結合した第１の電流電極と、前記第２のトランジスタの第１の電流源に結合した第２の電流源と、前記第１の出力端子に結合した制御電極とを有している、
回路。
【請求項８】
前記第１の電流源と前記第２の電流源とが更に、前記第１の出力端子の電圧の低下に応えて電流を増加する請求項１に記載の回路。
【請求項９】
前記インピーダンスがＭＯＳトランジスタからなる請求項１に記載の回路。
【請求項１０】
前記ＭＯＳトランジスタが、前記第２のトランジスタの第２の電流電極に結合した前記第１の端子としての第１の電流電極と、前記第１の出力端子に結合した前記第２の端子としての第２の電流電極と、接地端子に結合したゲートと、を有した請求項９に記載の回路。
【請求項１１】
前記第３のトランジスタの制御電極に結合した第１の端子と、前記第１の出力端子に結合した第２の端子と、を有する容量素子を更に含む請求項１に記載の回路。
【請求項１２】
請求項１に記載の回路であって、第２の出力端子を有し、
出力と、前記第１の出力端子に結合した入力と、を有する第３の電流源と、
出力と、前記第１の出力端子に結合した入力と、を有する第４の電流源と、
第１の電流電極と、前記第３の電流源の前記出力に結合した制御電極と、前記第２の出力端子に結合した第２の電流電極と、を有する第４のトランジスタと、
前記第４の電流源の出力に結合した第１の電流電極と、前記第４のトランジスタの制御電極に結合した制御電極と、第２の電流電極と、を有する第５のトランジスタと、
前記第５のトランジスタの第２の電流電極に結合した第１の端子と、前記第２の出力端子に結合した第２の端子と、を有する第２のインピーダンスと、
第１の出力端子の結合した第１の電流電極と、前記第４のトランジスタの第１の電流電極に結合した制御電極と、前記第２の出力端子に結合した第２の電流電極と、を有する第６のトランジスタと
を更に備えた回路。
【請求項１３】
第１の出力端子を有する回路であって、
基準電圧を供給する為に電源端子と前記出力端子との間に結合されたレギュレータ回路と、
電源端子に結合した第１の電流電極と、前記基準電圧を受信する制御電極と、前記第１の出力端子に結合した第２の電流電極と、を有する出力トランジスタと、を備え、
前記レギュレータ回路が受信した電流のすべてが前記第１の出力端子を通過する、
回路。
【請求項１４】
請求項１３に記載の回路であって、
前記レギュレータが一対の電流源を備えており、各電流源が等しい電流を供給する回路。
【請求項１５】
前記第１の出力端子での電圧の低下に応じて、等しい電流が増加する請求項１４に記載の回路。
【請求項１６】
前記第１の出力端子での電圧の所定の低下に応じて、前記レギュレータが前記基準電圧を増加する、請求項１３に記載の回路。
【請求項１７】
請求項１３に記載の回路であって、前記レギュレータが、
出力と、電源端子に結合した入力と、を有する第１の電流源と、
出力と、前記電源端子に結合した入力と、を有する第２の電流源と、
第１の電流電極と、前記第１の電流源の前記出力に結合した制御電極と、前記第１の出力端子に結合した第２の電流電極と、を有する第１のトランジスタと、
前記基準電圧を供給する為に前記第２の電流源の前記出力に結合した第１の電流電極と、前記第１のトランジスタの前記制御電極に結合した制御電極と、第２の電流電極と、を有した第２のトランジスタと、
前記第２のトランジスタの前記第２の電流電極に結合した第１の端子と、前記第１の出力端子に結合した第２の端子と、を有するインピーダンスと、
を備えたレギュレータである、回路。
【請求項１８】
請求項１３に記載の回路であって、第２の出力端子を有し、
第２の基準電圧を供給する為に前記第１の出力端子と前記第２の出力端子との間に結合された第２のレギュレータ回路と、
前記第１の出力端子に結合した第１の電流電極と、前記第２の基準電圧を受信する制御電極と、前記第２の出力端子に結合した第２の電流電極と、を有する第２の出力トランジスタとを更に備え、
前記第２のレギュレータ回路が受信した電流のすべてが前記第２の出力端子を通過する回路。
【請求項１９】
第１の出力端子を有すｒ回路であって、
基準電圧を確立する為の基準電流を確立するカレントミラーと、前記出力端子での電圧の低下に応じて前記基準電流が増加し、
前記基準電流を伝達するインピーダンスと、温度の増加に伴い前記インピーダンスの絶対値が低下し、
前記基準電圧を受信し出力電流を前記出力端子で供給する出力トランジスタと、を備えた回路。
【請求項２０】
請求項１９に記載の回路であって、前記カレントミラーが、
出力と、電源端子に結合した入力と、を有する第１の電流源と、
出力と、前記電源端子に結合した入力と、を有する第２の電流源と、
第１の電流電極と、前記第１の電流源の前記出力に結合した制御電極と、前記第１の出力端子に結合した第２の電流電極と、を有する第１のトランジスタと、
前記基準電圧を供給する為に前記第２の電流源の出力に結合した第１の電流電極と、前記第１のトランジスタの制御電極に結合した制御電極と、前記インピーダンスに結合した第２の電流電極と、を有する第２のトランジスタと、
を備えたカレントミラーである回路。
【請求項２１】
請求項１９に記載の回路であって、第２の出力端子を有し、
第２の基準電圧を確立する為の第２の基準電流を確立する第２のカレントミラーと、前記第２の出力端子での電圧の低下に応じて前記第２の基準電流が増加し、
前記第２の基準電流を伝達する第２のインピーダンスと、温度の増加に伴い前記第２のインピーダンスの絶対値が低下し、
前記第２の基準電圧を受信し第２の出力電流を前記第２の出力端子で供給す第２の出力トランジスタと、を備えた回路。
【発明の詳細な説明】
【技術分野】
【０００１】
本発明は一般に回路に関し、特に、電圧調整用回路に関する。
【背景技術】
【０００２】
レイアウト密度が高く電子回路の動作電圧が低くなるのに伴って、電源電圧がそのままなのに電子回路の動作電圧を下げなくてはならない応用例が増えつつある。しかし、バッテリの電力に頼る応用例がどんどん増えれば、電子回路の利用電力も削減する必要がある。
【０００３】
したがって、可能な限り少ない電力で電圧調整する回路が必要とされている。
【発明を実施するための最良の形態】
【０００４】
本発明は例として図示され、添付の図面に限定されず、図面中では同じ参照記号が同様の要素を示す。
本図の要素は簡単明瞭に図示されており、必ずしも一律の縮尺に従っていない。例えば、本発明の実施形態の理解の改善を助けるよう、図において、他の要素と比べて寸法が誇張されている要素がある。
【０００５】
図１は、本発明の一実施形態に係る回路１０の略図であり、この回路には電界効果トランジスタ群２０〜２５がある。回路１０の第１の端子がノード３０に結合されており、回路１０の第２の端子がノード２８に結合されている。ノード３０に第１の電源電圧（例えば、Ｖｂａｔｔｅｒｙ）が結合されており、ノード２８に回路構成２７が結合されている。回路構成２７は、第２の電源電圧４０（例えば接地）にも結合されている。ｐチャネルトランジスタ２０の第１の電流電極と、ｐチャネルトランジスタ２１の第１の電流電極と、ｎチャネルトランジスタ２４の第１の電流電極とが、すべてノード３０に結合されている。トランジスタ２０の制御電極とトランジスタ２１の制御電極が両方ともノード２８に結合されている。トランジスタ２０の第２の電流電極が、ｎチャネルトランジスタ２２の第１の電流電極と、トランジスタ２２の制御電極と、ｎチャネルトランジスタ２３の制御電極とに結合されている。トランジスタ２１の第２の電流電極が、トランジスタ２３の第１の電流電極と、ｎチャネルトランジスタ２４の制御電極と、容量素子２６の第１の端子とに結合されている。トランジスタ２３の第２の電流電極がｐチャネルトランジスタ２５の第１の電流電極に結合されている。トランジスタ２５の制御電極が第２の電源電圧に結合されており、トランジスタ２５の第２の電流電極がノード２８に結合されている。ノード２８は更に、トランジスタ２２の第２の電流電極と、容量素子２６の第２の端子と、トランジスタ２４の第２の電流電極とに結合されている。
【０００６】
図１を参照すると、回路１０は、トランジスタ群２０、２１、２２、２３、２５を通過する電流のすべてがほぼ等しくなるよう動作する。トランジスタ２３は面積の点でトランジスタ２２よりも大きいので、トランジスタ２３のＶｇｓはトランジスタ２２のＶｇｓよりも小さくなる。これによって、トランジスタ２２とトランジスタ２３との間にΔＶｇｓが生じる。ここで留意すべきは、電流が同一である場合、トランジスタ２２のＶｇｓはトランジスタ２３のＶｇｓよりも大きいことである。本明細書で用いられているように、ΔＶｇｓはトランジスタ２２のゲート・ソース間電圧とトランジスタ２３のゲート・ソース間電圧との差異を表す。更に、ΔＶｇｓはトランジスタ２５の端子間電圧でもある。トランジスタ２５を通過する電流が、トランジスタ群２０、２１、２２、２３のそれぞれを通過する電流とほぼ同一になるように、トランジスタ２５の面積を調整すればよい。
【０００７】
トランジスタ２１の端子間電圧（以下、Ｖ２１）は（ΔＶｇｓ／トランジスタ２５のチャネル抵抗）×（トランジスタ２１のチャネル抵抗）にほぼ等しくなる。ここで留意すべきは、Ｖ２１＋（トランジスタ２４のＶｇｓ）がＶｂａｔｔｅｒｙとノード２８の電圧との差の電圧にほぼ等しいことである。Ｖｂａｔｔｅｒｙとノード２８の電圧との差の電圧（以下、Ｖｄｒｏｐ）は、回路１０を作る為に使用した半導体材料のバンドギャップ電圧にほぼ等しい。シリコンの場合、バンドギャップ電圧は約１．１ボルトである。したがって、回路１０をシリコンで形成した場合のＶｄｒｏｐは約１．１ボルトである。ここで留意すべきは、回路１０を構成する為に使用された製造プロセスの特徴の為に、加えて回路１０の所望の電圧及び温度特性の為に、回路１０の動きを調整するよう、Ｖｄｒｏｐはバンドギャップ電圧から意図的に変動されてもよいことである。更に留意すべきは、Ｖｄｒｏｐはトランジスタ２４の端子間の電圧降下だということである。
【０００８】
従って、回路１０はＶｂａｔｔｅｒｙと回路構成２７との間に電圧降下（Ｖｄｒｏｐ）を生成する。このことは、回路構成２７の安全な動作電圧がＶｂａｔｔｅｒｙ電圧よりも低い応用例では非常に有用である。例えば、多くのスマートカードの応用例及び携帯ゲーム機では安価なバッテリが使用されており、その電圧は回路構成２７の安全な動作電圧よりも１ボルト以上高い。従って、電源電圧（例えば、Ｖｂａｔｔｅｒｙ）と回路構成２７の動作電圧との間で所望の量の電圧降下をさせる回路１０を用いる必要がある。ここで留意すべきは、電源電圧Ｖｂａｔｔｅｒｙはバッテリ電圧として図示されているが、代替の本発明の実施形態では電源電圧を供給するのに任意の供給源を用いてよいことである。バッテリは可能な電力供給源の一つの例にすぎない。回路構成２７は、Ｖｂａｔｔｅｒｙ以下の電源電圧で動作できるならどんなタイプの回路構成でもよい。ここで留意すべきは、実施形態によっては、回路構成２７がＶｂａｔｔｅｒｙより高い電圧で機能しても、回路構成２７の使用電力を減らすべく、又は回路構成２７の放熱を減らすべく、ノード２８のＶｂａｔｔｅｒｙ以下の電圧を用いて回路構成２７に電力を供給することである。
【０００９】
本発明のある実施形態では、回路１０を安定させる為にコンデンサ２６が使用されている。ここで留意すべきは、トランジスタ２４のゲートの電圧が低下した場合、トランジスタ２４のＶｇｓも低下する。そして、ノード２８の電圧は増加する傾向を持つようになる（即ちＶｂａｔｔｅｒｙに近づく）。この結果、トランジスタ２３が伝導する電流は少なくなり、従ってトランジスタ２１を流れる電流も少なくなる。その結果として、トランジスタ２４のゲートの電圧は、今度は増加する。従って、トランジスタ群２３、２４、２５の位相が１８０度まで進む場合、トランジスタ２４のゲートの電圧はゆっくりと発振したり減衰したりする。トランジスタ２４のゲートの電圧がこのように発振することは一般に望ましくなく、特に周波数が高い（例えば、１メガヘルツより高い）と顕著である。ここで留意すべきは、回路１０は一般に、１メガヘルツを下回る周波数で動作するよう意図されており、場合によってはＤＣ（直流電流）で動作するよう意図されていることである。代替の本発明の実施形態では、コンデンサ２６を使用しない。他の本発明の実施形態では、回路１０の動作を安定させる為に代替のアプローチと回路素子とを複数使用する。
【００１０】
ここで留意すべきは、図１に図示の回路１０の一実施形態については、トランジスタ群２２、２３、２４が、各ゲート・ソース間電圧が各トランジスタのしきい値電圧を下回るしきい値未満範囲で動作することである。ここで留意すべきは、トランジスタのしきい値電圧（Ｖｔ）は、トランジスタが「作動（ｔｕｒｎ  ｏｎ）」し導通すると考えられる電圧だということである。ある実施形態では、トランジスタ２０とトランジスタ２１はしきい値未満では動作しない。しかし、代替の実施形態では、トランジスタ２０とトランジスタ２１はしきい値未満で動作する。ここで留意すべきは、電界効果トランジスタ（例えば、２２、２３、２４）をしきい値未満で動作させると、電界効果トランジスタのゲート・ソース間電圧はバイポーラトランジスタのベース・エミッタ間電圧と同様に動くことである。
【００１１】
ここで留意すべきは、多くの場合に、ノード２８の電圧が広範囲の温度に亘り比較的一定に維持されることが望ましいことである。従って、Ｖｄｒｏｐ２８が広範囲の温度に亘り比較的一定に維持されることが望ましい。ある実施形態では、この維持は、回路１０の第１の部分の温度係数を正にし、回路１０の第２の部分の温度係数を負にすることにより達成される。回路１０の一実施形態については、トランジスタ２４のゲート・ソース間電圧の温度係数は負である（即ち、温度の増加に伴い、トランジスタ２４のＶｇｓは低下する）。これを補う為に、トランジスタ２１のソース・ドレイン間電圧の温度係数は正である（即ち、温度の増加に伴い、トランジスタ２１のＶｓｄは増加する）。トランジスタ２２のゲート・ソース間電圧とトランジスタ２３のゲート・ソース間電圧との差異（ΔＶｇｓ）は、（ＫＴ／ｑ）×ｌｎ（トランジスタ２３の面積／トランジスタ２２の面積）にほぼ等しく、ここで、Ｔはケルビン表示の温度、Ｋ及びｑは既知の定数である。ここで留意すべきは、トランジスタ２１のＶｓｄの正の温度係数は、トランジスタ２３とトランジスタ２２とについてのΔＶｇｓの関数だということである。従って、負の温度係数と正の温度係数とを組み合わせると補い合うので、回路１０への正味の影響は温度に関わらず安定する。
【００１２】
ノード３０からノード２８への、所望の範囲内の電圧降下（Ｖｄｒｏｐ）を達成する目的で、トランジスタ２２とトランジスタ２３との面積比と、トランジスタ２１とトランジスタ２５との面積比と、トランジスタ２４の面積とを調整してもよい。この所望の範囲の中心は通例、バンドギャップ電圧（シリコンでは１．１ボルト）である。代替の本発明の実施形態ではＶｄｒｏｐについて任意の所望の範囲を用いてよく、例えば、バンドギャップ電圧よりも著しく大きい又は著しく小さい電圧などでよい。従って、トランジスタ２２とトランジスタ２３との面積比と、トランジスタ２１とトランジスタ２５との面積比と、トランジスタ２４の面積とを変動させることで、温度に関する回路１０の動きは変動する。
【００１３】
ここで留意すべきは、本発明の一実施形態については、トランジスタ２５は回路１０にインピーダンスをもたらすよう機能することである。トランジスタ２０とトランジスタ２１は各々、回路１０の電流源として機能する。回路構成２７が電流を多量に引き込むときは、トランジスタ２４は、かなりの量の電流を回路構成２７に供給できる出力トランジスタとして機能する。トランジスタ２４のゲートの電圧を基準電圧と呼ぶことがある。レギュレータ回路１１と出力トランジスタ２４とで電圧調整回路１０を構成している。レギュレータ回路１１には、トランジスタ群２０、２１、２２、２３、２５のほかに、容量素子２６がある。トランジスタ２４の制御電極の電圧はＶｒｅｆと名づけられ、出力トランジスタ２４の基準電圧を供給する。
【００１４】
図２が図示しているのは、本発明の代替の実施形態に係る回路１００の略図である。回路１００の第１の端子がノード１３０に結合されており、回路１００の第２の端子がノード１２８に結合されている。第１の電源電圧（例えば、Ｖｂａｔｔｅｒｙ）がノード１３０に結合されており、回路構成１２７がノード１２８に結合されている。回路構成１２７は更に、第２の電源電圧４０（例えば接地）に結合されている。ｐチャネルトランジスタ１２０の第１の電流電極と、ｐチャネルトランジスタ１２１の第１の電流電極と、バイポーラトランジスタ１２４の第１の電流電極とが、すべてノード１３０に結合されている。トランジスタ１２０の制御電極とトランジスタ１２１の制御電極とが両方とも、ノード１２８に結合されている。トランジスタ１２０の第２の電流電極が、バイポーラトランジスタ１２２の第１の電流電極と、トランジスタ１２２の制御電極と、バイポーラトランジスタ１２３の制御電極とに結合されている。トランジスタ１２１の第２の電流電極が、トランジスタ１２３の第１の電流電極と、バイポーラトランジスタ１２４の制御電極と、容量素子１２６の第１の端子とに結合されている。トランジスタ１２３の第２の電流電極がｐチャネルトランジスタ１２５の第１の電流電極に結合されている。トランジスタ１２５の制御電極が第２の電源電圧に結合されており、トランジスタ１２５の第２の電流電極がノード１２８に結合されている。ノード１２８は更に、トランジスタ１２２の第２の電流電極と、容量素子１２６の第２の端子と、トランジスタ１２４の第２の電流電極とに結合されている。
【００１５】
本発明の一実施形態で留意すべきは、トランジスタ１２５は回路１００にインピーダンスをもたらすよう機能することである。トランジスタ１２０とトランジスタ１２１は各々、回路１００の電流源として機能する。回路構成１２７が電流を多量に引き込むときは、トランジスタ１２４は、かなりの量の電流を回路構成１２７に供給できる出力トランジスタとして機能する。トランジスタ１２４のゲートの電圧を基準電圧と呼ぶことがある。レギュレータ回路１１１と出力トランジスタ１２４とで、電圧調整回路１００を構成している。レギュレータ回路１１１には、トランジスタ群１２０、１２１、１２２、１２３、１２５のほかに、容量素子１２６がある。トランジスタ１２４の制御電極の電圧はＶｒｅｆと名づけられ、出力トランジスタ１２４の基準電圧を供給する。
【００１６】
図１と図２とを参照すると、留意すべきは、ある実施形態では、回路１００は回路１０とは、回路１０の電界効果トランジスタ２２、２３、２４がバイポーラトランジスタ１２２、１２３、１２４に取り替えられているという点において異なることである。本発明の一実施形態については、バイポーラトランジスタ群１２２〜１２５がｎｐｎバイポーラトランジスタとして実施される。代替の本発明の実施形態では、交互に、選択されたｎチャネルトランジスタ群の代わりにｐチャネルトランジスタ群が用いられた、及び／又は、選択されたｐチャネルトランジスタ群ｎに代わりチャネルトランジスタ群が用いられる、及び／又は、ｎｐｎバイポーラトランジスタ群の選択されたものに代わりｐｎｐバイポーラトランジスタ群が用いられる。ここで留意すべきは、本発明の実施形態の中には、回路１０を回路構成２７と第２の電源電圧４０、１４０（例えば接地）との間に用いる実施形態もあることである。図２の回路１００は図１の回路１０と同様に動作し、バイポーラトランジスタ群１２２〜１２４は通常のｎｐｎバイポーラトランジスタとして動作する。ここで留意すべきは、バイポーラトランジスタ群１２２〜１２４のＶｂｅは、図１の電界効果トランジスタ群２２〜２４のＶｇｓがしきい値未満で動くのと同じように動くことである。
【００１７】
図３が図示しているのは、本発明の一実施形態に係る図１の回路についての電圧対温度の曲線のグラフである（製造プロセスの各パラメータにばらつきはないものとする）。図示の電圧は、第２の電源電圧（例えば接地）に対するノード２８の電圧（図１参照）である。ここで留意すべきは、非常に広い温度範囲（即ち、−摂氏３０度〜摂氏１２５度）に亘り、電圧は有意には変動しないこと（図示のグラフでは、約１ミリボルトの変動）である。代替の実施形態では、所望の温度範囲すべてに亘ってノード２８の電圧範囲を変化させるべく、回路１０のパラメータ（例えば、各トランジスタのサイズ、製造プロセスの各パラメータなど）を変動させる。
【００１８】
図４が図示しているのは、本発明の一実施形態に係る図１の回路についての電圧対電流の曲線のグラフである。図示の電圧はノード３０からノード２８への電圧降下Ｖｄｒｏｐである（図１参照）。図示の電流は回路１０から回路構成２７に供給された電流である。ここで留意すべきは、１５０ナノアンペアの電流レベルに到達すれば、Ｖｄｒｏｐはかなり良好に確立され、有意には変わらないことである。従って、回路１０は、第１の電源電圧（Ｖｂａｔｔｅｒｙ）からノード２８で回路構成２７に供給された電圧への電圧降下を安定させる。
【００１９】
図５が図示しているのは、本発明の一実施形態に係る回路２００のブロック図である。ここで留意すべきは、第１の電源電圧（Ｖｂａｔｔｅｒｙ）３０又は１３０と回路構成２７又は１２７との間に大きい電圧降下をもたらす目的で、複数の回路１０又は回路１００が直列に配置される場合があることである。回路１０又は１００は幾つでも直列に配置されうる。更に、回路１０と１００とのあらゆる組み合わせを直列に用いてよい。ここで留意すべきは、参照番号１０’と３０’と２８’とが回路１０又は図１の第２の例示を表していることである。ここで留意すべきは、参照番号１００’と１３０’と１２８’とが図２の回路１００の第２の例示を表していることである。更に、代替の実施形態では、回路１０又は１００の複数の例示の位置を変えて、回路構成２７又は１２７と第２の電源電圧４０又は１４０（例えば接地）との間に設置されるようにしている。
【００２０】
本発明が特殊な導電型又は電位の極性について記載されたが、当業者は、導電型及び電位の極性が逆になりうることを認識済みである。
上述の明細書では、本発明を特殊な実施形態について記載した。しかし、当業者には、以下の数々の請求項に述べられている本発明の範囲から逸脱することなく種々の修正及び変更がなされうることが分かる。それに応じて、本明細書及び図は、限定的な意味ではなく説明的な意味において考えられるべきものであり、このような修正はすべて本発明の範囲内にあるよう意図されている。
【００２１】
数々の利益と他の利点と問題の解決策とを、特殊な実施形態について述べてきた。しかし、数々の利益と利点と問題の解決策と、あらゆる利益か利点か解決策を生む又はより顕著にする任意の要素（単数又は複数）とを、一部又はすべての請求項の特質又は要素の、決定的なものや、必須なものや、本質的なものなどと解釈してはならない。本明細書で用いられているように、用語「含む（ｃｏｍｐｒｉｓｅｓ）」や、「含んでいる（ｃｏｍｐｒｉｓｉｎｇ）」や、この用語のその他の変形物は、非排他的に包含するよう意図されており、よって、要素のリストを含むプロセスや方法や物品や装置などが、そのリストの要素のみを包含するのではなく、はっきりとリストアップされていない他の要素やそのような、プロセスや方法や物品や装置などに固有の他の要素も包含する場合がある。
（追加テキスト）
（請求項１）  第１の出力端子を有した回路であって、
出力と、所定の電源端子に結合した入力と、を有した第１の電流源と、
出力と、前記電源端子に結合した入力と、を有した第２の電流源と、
第１の電流電極と、前記第１の電流源の前記出力に結合した制御電極と、前記第１の出力端子に結合した第２の電流電極と、を有した第１のトランジスタと、
前記第２の電流源の前記出力に結合した第１の電流電極と、前記第１のトランジスタの前記制御電極に結合した制御電極と、第２の電流電極と、を有した第２のトランジスタと、
前記第２のトランジスタの前記第２の電流電極に結合した第１の端子と、前記第１の出力端子に結合した第２の端子と、を有したインピーダンスと、
前記電源端子に結合した第１の電流電極と、前記第２のトランジスタの前記第１の電流電極に結合した制御電極と、前記第１の出力端子に結合した第２の電流電極と、を有した第３のトランジスタと、を備えた回路。
【００２２】
（請求項２）  前記第１のトランジスタと、前記第２のトランジスタと、前記第３のトランジスタとが、それぞれＭＯＳトランジスタである請求項１に記載の回路。
（請求項３）  前記第１のトランジスタと、前記第２のトランジスタと、前記第３のトランジスタとが、それぞれＮチャネルトランジスタである請求項２に記載の回路。
【００２３】
（請求項４）  前記第１のトランジスタと、前記第２のトランジスタと、前記第３のトランジスタとが、それぞれバイポーラトランジスタである請求項１に記載の回路。
（請求項５）  前記バイポーラトランジスタがそれぞれＮＰＮトランジスタである請求項４に記載の回路。
【００２４】
（請求項６）  前記第１の電流源と前記第２の電流源とがそれぞれＭＯＳトランジスタである請求項１に記載の回路。
（請求項７）  請求項１に記載の回路であって、
前記第１の電流源が第１の電流源トランジスタを備えており、前記第１の電流源トランジスタが、前記電源端子に結合した第１の電流電極と、前記第１のトランジスタの前記第１の電流源に結合した第２の電流源と、前記第１の出力端子に結合した制御電極とを有しており、
前記第２の電流源が第２の電流源トランジスタを備えており、前記第２の電流源トランジスタが、前記電源端子に結合した第１の電流電極と、前記第２のトランジスタの前記第１の電流源に結合した第２の電流源と、前記第１の出力端子に結合した制御電極とを有している、回路。
【００２５】
（請求項８）  前記第１の電流源と前記第２の電流源とが更に、前記第１の出力端子の電圧の低下に応えて電流を増加する請求項１に記載の回路。
（請求項９）  前記インピーダンスがＭＯＳトランジスタを備えた請求項１に記載の回路。
【００２６】
（請求項１０）  前記ＭＯＳトランジスタが、前記第２のトランジスタの前記第２の電流電極に結合した前記第１の端子としての第１の電流電極と、前記第１の出力端子に結合した前記第２の端子としての第２の電流電極と、及び所定の接地端子に結合したゲートとを有した請求項９に記載の回路。
【００２７】
（請求項１１）  前記第３のトランジスタの前記制御電極に結合した第１の端子と、前記第１の出力端子に結合した第２の端子と、を有した容量素子を更に備えた請求項１に記載の回路。
【００２８】
（請求項１２）  請求項１に記載の回路であって、第２の出力端子を有し、
出力と、前記第１の出力端子に結合した入力と、を有した第３の電流源と、
出力と、前記第１の出力端子に結合した入力と、を有した第４の電流源と、
第１の電流電極と、前記第３の電流源の前記出力に結合した制御電極と、前記第２の出力端子に結合した第２の電流電極と、を有した第４のトランジスタと、
前記第４の電流源の前記出力に結合した第１の電流電極と、前記第４のトランジスタの前記制御電極に結合した制御電極と、第２の電流電極と、を有した第５のトランジスタと、
前記第５のトランジスタの前記第２の電流電極に結合した第１の端子と、前記第２の出力端子に結合した第２の端子と、を有した第２のインピーダンスと、
第１の電流電極結合前記第１の出力端子と、前記第４のトランジスタの前記第１の電流電極に結合した制御電極と、前記第２の出力端子に結合した第２の電流電極と、を有した第６のトランジスタと、を更に備えた回路。
【００２９】
（請求項１３）  第１の出力端子を有した回路であって、
基準電圧を供給する為に電源端子と前記出力端子との間に結合されたレギュレータ回路と、
電源端子に結合した第１の電流電極と、前記基準電圧を受信する制御電極と、前記第１の出力端子に結合した第２の電流電極と、を有した出力トランジスタとを備え、
前記レギュレータ回路が受信した電流のすべてが前記第１の出力端子を通過する回路。
【００３０】
（請求項１４）  請求項１３に記載の回路であって、
前記レギュレータが一対の電流源を備えており、各電流源が等しい電流を供給する回路。
【００３１】
（請求項１５）  前記第１の出力端子での電圧の低下に応じて前記等しい電流が増加する請求項１４に記載の回路。
（請求項１６）  前記第１の出力端子での電圧の低下に応じて、前記レギュレータが前記基準電圧を増加する請求項１３に記載の回路。
【００３２】
（請求項１７）  請求項１３に記載の回路であって、前記レギュレータが、
出力と、電源端子に結合した入力と、を有した第１の電流源と、
出力と、前記電源端子に結合した入力と、を有した第２の電流源と、
第１の電流電極と、前記第１の電流源の前記出力に結合した制御電極と、前記第１の出力端子に結合した第２の電流電極と、を有した第１のトランジスタと、
前記基準電圧を供給する為に前記第２の電流源の前記出力に結合した第１の電流電極と、前記第１のトランジスタの前記制御電極に結合した制御電極と、第２の電流電極と、を有した第２のトランジスタと、
前記第２のトランジスタの前記第２の電流電極に結合した第１の端子と、前記第１の出力端子に結合した第２の端子と、を有したインピーダンスと、
を備えたレギュレータである回路。
【００３３】
（請求項１８）  請求項１３に記載の回路であって、第２の出力端子を有し、
第２の基準電圧を供給する為に前記第１の出力端子と前記第２の出力端子との間に結合された第２のレギュレータ回路と、
前記第１の出力端子に結合した第１の電流電極と、前記第２の基準電圧を受信する所定の制御電極と、前記第２の出力端子に結合した第２の電流電極と、を有した第２の出力トランジスタとを更に備え、
前記第２のレギュレータ回路が受信した電流のすべてが前記第２の出力端子を通過する、回路。
【００３４】
（請求項１９）  第１の出力端子を有した回路であって、
所定の基準電圧を確立する為の基準電流を確立する所定のカレントミラーと、前記出力端子での電圧の低下に応じて前記基準電流が増加し、
前記基準電流を伝達するインピーダンスと、温度の増加に伴い前記インピーダンスの絶対値が低下し、
前記基準電圧を受信し出力電流を前記出力端子で供給する出力トランジスタと
を備えた回路。
【００３５】
（請求項２０）  請求項１９に記載の回路であって、前記カレントミラーが、
出力と、電源端子に結合した入力と、を有した第１の電流源と、
出力と、前記電源端子に結合した入力と、を有した第２の電流源と、
第１の電流電極と、前記第１の電流源の前記出力に結合した制御電極と、前記第１の出力端子に結合した第２の電流電極と、を有した第１のトランジスタと、
前記基準電圧を供給する為に前記第２の電流源の前記出力に結合した第１の電流電極と、前記第１のトランジスタの前記制御電極に結合した制御電極と、前記インピーダンスに結合した第２の電流電極と、を有した第２のトランジスタと、を備えたカレントミラーである回路。
【００３６】
（請求項２１）  請求項１９に記載の回路であって、第２の出力端子を有し、
第２の基準電圧を確立する為の所定の第２の基準電流を確立する第２のカレントミラーと、前記第２の出力端子での電圧の低下に応じて前記第２の基準電流が増加し、
前記第２の基準電流を伝達する第２のインピーダンスと、温度の増加に伴い前記第２のインピーダンスの絶対値が低下し、
前記第２の基準電圧を受信し第２の出力電流を前記第２の出力端子で供給する第２の出力トランジスタと
を備えた回路。
【図面の簡単な説明】
【００３７】
【図１】本発明の一実施形態に係る回路の略図。
【図２】本発明の代替の実施形態に係る回路の略図。
【図３】本発明の一実施形態に係る図１の回路についての電圧対温度の曲線のグラフ。
【図４】本発明の一実施形態に係る図１の回路についての電圧対電流の曲線のグラフ。
【図５】本発明の一実施形態に係る回路のブロック図。
【図１】
2007537539.tif 000003
【図２】
2007537539.tif 000004
【図３】
2007537539.tif 000005
【図４】
2007537539.tif 000006
【図５】
2007537539.tif 000007
【国際調査報告】
2007537539.tif 000008
2007537539.tif 000009